(57)【要約】      （修正有）【課題】火災時において、熔融した戸車が室内側もしくは室外側に流れ込むことを抑制しながら、戸車を包み込んで着火を抑制し、延焼を防ぐ。【解決手段】建物開口部に配置される枠体と、下框３２に樹脂製の戸車ａを有し枠体内に開閉自在に配置される障子を備え、障子の下框３２の戸車ａの走行方向両側位置には、火災時に戸車ａに向かって膨張する加熱膨張材ｆが設けられている。【選択図】図６
2018066244.tif 000002
【特許請求の範囲】
【請求項１】
建物開口部に配置される枠体と、下框に樹脂製の戸車を有し枠体内に開閉自在に配置される障子を備え、
障子の下框の戸車の走行方向両側位置には、火災時に戸車に向かって膨張する加熱膨張材が設けられている
ことを特徴とする建具。
【発明の詳細な説明】
【技術分野】
【０００１】
本発明は、建物開口部に配置される防火建具に関する。
【背景技術】
【０００２】
建物開口部に設けられたレールに沿って引違い自在に配置された障子を有する建具において、下框の側壁に熱膨張性部材を配置することで、火災時に、戸車が熔融した場合にも、下框と下枠との間の隙間の発生を防止することのできる建具が公知となっている。（特許文献１）。
【先行技術文献】
【特許文献】
【０００３】
【特許文献１】特開２０１４−６６１０４号
【発明の概要】
【発明が解決しようとする課題】
【０００４】
しかし、前記特許文献１の建具は、熱膨張性部材が、戸車に対して見込み方向の一方側に配置されていることから、熱膨張性部材の膨張により熔融した戸車が室内側もしくは室外側に流れ込み、着火して延焼を引き起こす原因となる可能性があった。
【０００５】
本発明は、上記の事情を鑑み、火災時において、熔融した戸車が室内側もしくは室外側に流れ込むことを防止しながら、戸車を包み込んで着火を抑制し、延焼を防ぐことを目的とする。
【課題を解決するための手段】
【０００６】
本発明は、建物開口部に配置される枠体と、下框に樹脂製の戸車を有し枠体内に開閉自在に配置される障子を備え、障子の下框の戸車の走行方向両側位置には、火災時に戸車に向かって膨張する加熱膨張材が設けられていることを特徴とする。
【発明の効果】
【０００７】
本発明の構成により、火災時に、障子の下框に配置された戸車を加熱膨張材によって見付け方向から包み込むことができるので、戸車が室内側もしくは室外側へ流れ落ちることを抑制し、障子の下面において確実に包み込んで、戸車への着火による火災の延焼を抑制することができる。
【図面の簡単な説明】
【０００８】
【図１】本発明の実施形態に係る防火サッシの縦断面図である。
【図２】本発明の実施形態に係る防火サッシの横断面図である。
【図３】本発明の実施形態に係る防火サッシの下枠部分の通常時における拡大縦断面図である。
【図４】本発明の実施形態に係る防火サッシの下框に配置される戸車保護手段を説明するための図であり、（ａ）は縦框と下框との接続部の分解斜視図、（ｂ）は下框に配置された戸車に対する戸車保護手段の配置状態を示す図である。
【図５】本発明の実施形態に係る防火サッシの下框に配置される戸車保護手段を説明するための図であり、（ａ）は戸車保護手段である耐火材保持部材の平面図、（ｂ）は同側面図、（ｃ）は同正面図であり、（ｄ）は下框の補強部材に取り付けた状態の上面図、（ｅ）は同平面図である。
【図６】本発明の実施形態に係る防火サッシの戸車保護手段を説明するための図であり、（ａ）は通常状態の障子の下框と縦框の接合部分の正面図、（ｂ）は火災時の障子の下框と縦框の接合部分の正面図である。
【発明を実施するための形態】
【０００９】
本発明の実施形態に係る防火サッシを、図面を参照して説明する。
（全体の構成）
本発明の実施形態に係る防火サッシは、建物開口部に設置され、図１，２に示すように、上枠１１、下枠１２及び左、右縦枠１３，１４を四周に組んでなる枠体１と、上框２１，３１、下框２２，３２、左縦框２３，３３及び右縦框２４，３４を四周に組んでその内周にパネル体が嵌め込まれてなる内、外障子２，３とからなり、枠体１に形成された内、外案内レールに沿って内、外障子２，３を左右方向に移動可能に支持することにより、引き違いサッシとして構成されている。
なお、本発明の防火サッシは、引き違いサッシに限るものではなく、片引き窓など、窓枠に対して障子が開閉するものであれば、どのような方式のサッシであってもよい。
【００１０】
（枠体の構成）
図１に示すように、枠体１を構成する上枠１１は、アルミニウム等の金属材料により形成され中空部を有する室外側上部材１１１と、アルミニウム等の金属材料により形成された室内側上部材１１２と、室外側上部材１１１と室内側上部材１１２とを連結する樹脂等の断熱材料から形成された連結部材１１３と、室内側上部材１１２の下面内周に配置固定される樹脂材料から形成された樹脂上部材１１４とにより構成されている。
室外側上部材１１１の室外寄りの下面には、外障子３を案内する外案内レール１１１ａが垂下されており、室内側上部材１１２の室外側端部の下面には、内障子２を案内する内案内レール１１２ａが垂下されている。
【００１１】
樹脂上部材１１４は、室内側上部材１１２の内案内レール１１２ａの室内面を覆う室外壁部１１４ａと、室内側上部材１１２の下面を覆う上壁部１１４ｂと、上壁部１１４ｂの室内側端が下方に垂下してしてなる室内壁部１１４ｃと、室内壁部１１４ｃの下端が室内側に延設されてなる額部１１４ｄとから形成されており、室内側上部材１１２が直接室内空間に露出することを防止している。
【００１２】
内障子２と外障子３の召合せ部の上方位置であって、上枠１１の外案内レール１１１ａと内案内レール１１２ａの間には、図示しない風止板が配置されており、風止板と左縦枠１３との間、すなわち閉鎖状態における外障子３の室内側には、上枠１１の室外側上部材１１１の下面を覆う樹脂製の上カバー部材５１が配置されている。
上カバー部材５１によって、内、外障子２，３の閉鎖状態において外障子３の室内側の室外側上部材１１１の下面から冷熱が室内に直接伝達されることを防止している。そして、上カバー部材５１の室外側下面には、室内側の下方に向かって傾斜状態に延びる可動片５１ａが配置されている。
【００１３】
枠体１を構成する下枠１２は、アルミニウム等の金属材料により形成され上面に内、外案内レール１２１ａ，１２１ｂが設けられた下枠本体１２１と、下枠本体１２１の外案内レール１２１ｂの室外側に配置される下枠補助部材１２２と、下枠本体１２１の内、外案内レール１２１ａ，１２１ｂ間に配置される下枠レール間補助部材１２３と、下枠本体１２１の内案内レール１２１ａの室内側に配置固定される樹脂製の樹脂下部材１２４を備えている。
【００１４】
下枠本体１２１は、図３に示すように、室外側部分が中空部１２ａにより形成され、中空部１２ａの室外側面から室外側に延設した後に上方に延びる室外側部材１２１ｃが設けられており、室外側部材１２１ｃの上方に下枠補助部材１２２が配置されている。
下枠補助部材１２２と外案内レール１２１ｂとの間には、外障子３の下框３２の室外側下端に垂下する室外側垂下片３２１ｃが見付け方向にスライド自在に挿入されるガイド溝１２ｃが形成されている。
【００１５】
下枠本体１２１の内、外案内レール１２１ａ，１２１ｂ間に配置される下枠レール間補助部材１２３は、下方に開口する断面略Ｕ字状をなしており、室外側面及び上面には火災時に膨張する加熱膨張材ｆが配置されている。また、下枠レール間補助部材１２３の上面には、樹脂カバー部材１２５が配置されている。
下枠レール間補助部材１２３の見込み寸法は、内、外案内レール１２１ａ，１２１ｂの間隔よりも小さく設定されており、下枠レール間補助部材１２３と内案内レール１２１ａとの間には、内障子２の下框２２の室外側下端に垂下する室外側垂下片２２１ｃが見付け方向にスライド自在に挿入されるガイド溝１２ｂが形成されている。
【００１６】
下枠本体１２１の内案内レール１２１ａの室内側に配置される樹脂下部材１２４は、下枠１２の室内側上面を構成する上壁部１２４ａと、上壁部１２４ａの室外側端部から垂下する室外側脚部１２４ｂと、上壁部１２４ａの室内側下面から垂下する室内側脚部１２４ｃと、上壁部１２４ａの室内側に延びる顎部１２４ｄからなり、内案内レール１２１ａの室内側に係止されて下枠本体１２１の内案内レール１２１ａの室内側内周面を覆っている。樹脂下部材１２４の上壁部１２４ａの下面には、火災時に膨張する加熱膨張材ｆが配置されている。
【００１７】
内障子２を案内する内案内レール１２１ａ及び外障子３を案内する外案内レール１２１ｂは、室外側面の上方部分に室外側に向かって開口して気密材ｓを保持する気密材保持溝が設けられており、気密材保持溝の上方に上部壁１２１ｄ，１２１ｅが幅広に形成され上面に内、外障子２，３を案内する案内条１２１ｆ、１２１ｇが突設されている。
そして、下枠本体１２１の内、外案内レール１２１ａ，１２１ｂの上部壁１２１ｄ，１２１ｅと、下枠補助部材１２２の上面と、下枠レール間補助部材１２３の上面に配置される樹脂カバー部材１２５の上面と、樹脂下部材１２４の上面とが略同一高さとなるように設定されることで、下枠１２の上面が略フラットな形状となるように形成されている。
【００１８】
図２に示すように、左縦枠１３は、アルミニウム等の金属材料により形成され、内周面に外障子３の戸先框（左縦框）３３に配置される引寄せブロックｄが当接する引寄せ片１３１ａが設けられた本体部材１３１と、本体部材１３１の室内側内周面に配置固定される樹脂左部材１３２を有している。
樹脂左部材１３２は、本体部材１３１に係合され左縦枠１３の室内側内周面を覆う本体部１３２ａと、本体部１３２ａの室内側に延設する額部１３２ｂを備え、樹脂左部材１３２の本体部１３２ａには、上下方向の複数箇所において内周方向に開口する取付凹部１３２ｃを有し、取付凹部１３２ｃの底壁を本体部材１３１に重合させた状態で、両者を貫通するネジ等の固定手段ｂで内周側から複数箇所固定することにより、建物の開口部に強固に取付けられている。
そして、取付凹部１３２ｃには樹脂製のキャップ１３２ｄが装着されることにより、アルミニウム等よりなる左縦枠１３の本体部材１３１を介してネジ等の固定手段に伝達された冷熱が室内への伝達されることを抑制すると共に、ネジ等の固定手段ｂの頭部が室内に露出することによる意匠の低下を抑えている。
なお、取付凹部１３２ｃは、樹脂左部材１３２の長手方向（上下方向）に連続する溝部として構成してもよい。
【００１９】
右縦枠１４は、アルミニウム等の金属材料により形成され、内周面に内障子２の戸先框（右縦框）２４に配置される引寄せブロックｄが当接する引寄せ片１４１ａが設けられた本体部材１４１と、本体部材１４１の室内側内周面に配置固定される樹脂右部材１４２により構成されている。
樹脂右部材１４２は、本体部材１４１に係合される取付部１４２ａと、取付部１４２ａの室内側端より内周方向へ延びる室内壁部１４２ｂと、室内壁部１４２ｂの内周側端より室内側へ延設する額部１４２ｃにより構成され、取付部１４２ａを本体部材１４１に係合させた状態で、両者を貫通するネジ等の固定手段ｂで内周側から複数箇所固定することにより、建物の開口部に強固に取付けられている。
【００２０】
（障子の構成）
図１に示すように、内障子２の上框２１は、アルミニウム等の金属材料により形成され中空部２１１ａを有する室外側上框部２１１と樹脂材料等により形成され中空部２１２ａを有する室内側上框部２１２とからなる複合框として構成されている。室外側上框部２１１の外周には、上枠１１に形成された内案内レール１１２ａにより案内される案内溝２１ａが形成されているとともに、上框２１の内周には、室外側上框部２１１と室内側上框部２１２とによってパネル間口２１ｂが形成されている。
案内溝２１ａの室外側上端及び室内側上端には、内案内レール１１２ａに当接もしくは近接する気密材が取付けられており、上枠１１と上框２１との間を気密して、上框２１の上面と上枠１１下面との間を通って外気が直接室内に入り込むことを防止して、サッシの断熱性能を向上させている。
また、案内溝２１ａの室内側面及び底面には、加熱により膨張する加熱膨張材が配置されている。
【００２１】
内障子２の下框２２は、アルミニウム等の金属材料により形成され上方中空部２２１ａ及び下方中空部２２１ｂを有する室外側下框部２２１と樹脂等より形成され中空部２２２ａを有する室内側下框部２２２とからなる複合框として構成されており、下框２２の外周には案内溝２２ａが形成されて下枠１２に形成された内案内レール１２１ａ上を走行する戸車ａが配置されているとともに、下框２１の内周には、室外側下框部２２１と室内側下框部２２２とによってパネル間口２２ｂが形成されている。
図１，３に示すように、室外側下框部２２１の室外側は、戸車ａの下端よりも下方に延設されて室外側垂下片２２１ｃが形成されており、室外側垂下片２２１ｃは、下枠レール間補助部材１２３と内案内レール１２１ａとの間のガイド溝１２ｂに挿入されて、内案内レール１２１ａの室外側面に配置された気密材ｓに当接している。
【００２２】
図２に示すように、内障子２の戸先框（右縦框）２４は、アルミニウム等の金属材料により形成され中空部２４１ａを有する室外側戸先框部２４１と、樹脂等より形成され中空部２４２ａを有する室内側戸先框部２４２とからなる複合框として構成されている。
戸先框（右縦框）２４の外周には右縦枠１４に形成された引寄せ片１４１ａに当接する引寄せブロックｄが設置されているとともに、戸先框（右縦框）２４の内周には、室外側戸先框部２４１と室内側戸先框部２４２とによってパネル間口２４ｂが形成されている。
室外側戸先框部２４１の外周端には内障子２の閉鎖時に引寄せ片１４１ａに当接する気密材が取付けられており、右縦枠１４と戸先框２４との間を気密してサッシの断熱性能を向上させている。
【００２３】
内障子２の召合框（左縦框）２３は、アルミニウム等の金属材料により形成され中空部２３１ａを有する室外側召合框部２３１と樹脂等により形成され中空部２３２ａを有する室内側召合框部２３２とからなり、室内側召合框部２３２が室外側召合框部２３１の室内側面及び外周面、即ち、障子の閉鎖時に室内に露出する面を覆うように係合され複合框として構成されている。
召合框（左縦框）２３の内周には、室外側召合框部２３１と室内側召合框部２３２とによってパネル間口２３ｂが形成されている。
召合框（左縦框）２３の外周面にはクレセント錠８１が取付けられているとともに、室外側召合框部２３１の室外側面には煙返し片が形成され、外障子３の召合框３４の室内側面に形成された煙返し片と協働して煙返しｃを構成している。
【００２４】
外障子３は、召合框（右縦框）３４の構成が内障子２と異なっており、その他の点においては、概ね内障子２と同様であるので、召合框３４についてのみ説明し、外障子３の他の框材についての説明は省略する。
外障子３の召合框（右縦框）３４は、アルミニウム等の金属材料により形成され中空部３４ａを有しているとともに、中空部３４ａの内周にパネル間口３４ｂが形成されている。
召合框（右縦框）３４の室内側面の外周端部には内障子２の召合框（左縦框）２３の室外側面に当接する気密材ｓが取付けられており、外障子３の召合框３４と内障子２の召合框２３との間を通って外気が直接室内に入り込むことを防止してサッシの断熱性能を向上させている。
また、召合框（右縦框）３４の室内側面にはクレセント受け８２が取付けられている。
【００２５】
（補強材による耐火構造）
本実施形態の防火サッシにおいては、建具の重量がかかる下枠１２の中空部内、及び、内障子２、外障子３を構成する縦框材の中空部内に、火災時に建具の形状を保つための補強部材が配置されている。以下に説明する。
−下枠−
図３に示すように、下枠１２の中空部１２ａ内には、スチールもしくはアルミ合金等からなる補強部材９１２が中空部１２ａの上面に固定されて配置されている。
補強部材９１２は、中空部の上面に固定される上壁部９１２ａと上壁部９１２ａの室外側端に連続する室外側壁部９１２ｂと室外側壁部９１２ｂの下端より室内方向に連続する底壁部９１２ｃと上壁部９１２ａの室内側端から下方に連続する室内側壁部９１２ｄとからなる長尺部材として形成され、室外側壁部９１２ｂの上方位置の室内側面と下方位置の室外側面には、加熱により膨張する加熱膨張材ｆが排水路等に対向するように配置されており、火災時に排水路等を塞ぐことで、室内外の火炎や煙の連通を防止する。
また、室内側壁部９１２ｄには、断面略Ｌ字状の補助部材９１２ｅが取り付けられており、補助部材９２１ｅの上面には加熱により膨張する加熱膨張材ｆが配置されている。
【００２６】
−戸先框−
図２示すように、内、外障子２，３の戸先框２４，３３の室外側戸先框部２４１，３３１の中空部２４１ａ，３３１ａ内には、長手方向に沿ってスチールもしくはアルミニウム合金等からなる補強部材９２４，９３３が配置されており、内障子２の戸先框２４のパネル間口２４ｂに配置された金属材料からなるガラス外れ止め部材、及び、外障子３の戸先框３３のパネル間口３３ｂに配置された金属材料からなるガラス外れ止め部材にそれぞれビス等の固定手段により固定されている。
【００２７】
−召合框−
内障子２の召合框２３の中空部２３１ａ内には、長手方向に沿ってスチールもしくはアルミニウム合金等からなり断面略Ｕ字状の補強部材９２３が開口部を室外側に向けて配置されており、断面略Ｕ字状の一側壁部が内障子２の召合框２３のパネル間口２３ｂに配置された金属材料からなるガラス外れ止め部材にビス等の固定手段により固定されている。
また、外障子３の召合框３４の中空部３４ａ内には、長手方向に沿ってスチールもしくはアルミニウム合金等からなり断面略Ｕ字状の補強部材９３４が開口部を室内側に向けて配置されており、断面略Ｕ字状を構成する内周側壁部９３４ｂが外障子３の召合框３４のパネル間口３４ｂに配置された金属材料からなるガラス外れ止め部材にビス等の固定手段により固定されている。
補強部材９２３，９３４の底面には、火災時に膨張する加熱膨張材ｆが配置されている。
【００２８】
−下框−
図１示すように、内、外障子２，３の下框２２，３２の室外側下框部２２１，３２１の上方中空部２２１ａ，３２１ａ内には、長手方向に沿ってスチールもしくはアルミニウム合金等からなる断面略Ｕ字状の補強部材が開口部を室内側に向けて配置されており、また、室外側下框部２２１，３２１の下方中空部２２１ｂ，３２１ｂ内の戸車ａが存在しない部位には、長手方向に沿ってスチールもしくはアルミニウム合金等からなる断面略Ｕ字状の補強部材９２２，９３２が開口部を室内側に向けて配置されている。
【００２９】
（戸車保護手段）
以上のように、本実施形態の防火サッシにおいては、下枠１２及び障子２の縦框及び下框の中空部内に補強部材を配置して、火災時に障子２，３の形状を維持することで、室内外の煙の連通を遅らせるとともに、炎の連通による延焼を抑制している。
しかし、近年の建具においては、軽量化や断熱性の点から例えば障子の戸車等の部材として樹脂部材を多く使用しており、火災時に障子の戸車等の樹脂部材が溶融して障子がレールから脱落し、枠体から外れてしまったり、外れなくてもずれて隙間が生じて延焼する可能性があった。
【００３０】
そこで、本実施形態の防火サッシにおいては、内、外障子２，３の下框２２，３２に、火災時に戸車を保護する戸車保護手段を設けることにより、内、外障子２，３の内、外案内レール１２１ａ，１２１ｂからの脱落を防止して、長期間に亘って防火性能を維持することを可能にしている。
以下、本実施形態における建具の戸車保護手段について、外障子３の下框３２の戸先側の戸車を保護する戸車保護手段を用いて説明する。
【００３１】
本実施形態の建具における戸車保護手段６は、障子の下框の左右縦框近傍において案内溝に配置される戸車ａの見付け方向両側に形成される。
外障子３の一方側（戸先側）に配置される戸車保護手段６は、例えば、図４（ａ）に示すように、縦框３３と下框３２との接合面に配置されるシーラー６１によって構成されている。
シーラー６１は、加熱により膨張する材料により形成されており、戸先框３３の下框３２の端面が当接する内周面に配置されており、戸先框３３の内周面の下端位置まで覆うように接着等の手段により配置されている。
シーラー６１には、下框３２を固定するためのネジを挿通するためのネジ孔及び戸車ａの高さ調節等をするための調節孔が設けられている。
【００３２】
一方、戸車ａの他方側（召合せ側）に形成される戸車保護手段６は、例えば、図４（ｂ）に示すように、下框３２の室外側下框部３２１の下方中空部３２１ｂ内に配置される補強部材９３２の見付け方向端部に設けられ、具体的には、補強部材９３２の端部に固定され、加熱膨張材を有する耐火材保持部材６２によって構成されている。
耐火材保持部材６２は、図５（ａ），（ｂ）に示すように、スチールやアルミ合金等の金属材料からなる板材により形成され、補強部材９３２に対してネジ等の固定手段により固定するための固定部６２ａと、固定部６２ａから屈曲して延設されて形成される耐火材保持面６２ｂとからなり、屈曲部分を垂線に対して傾斜させて形成されている。
【００３３】
そのため、図５（ｃ），（ｄ）に示すように、耐火材保持部材６２の固定部６２ａを補強部材９３２の見付け面９３２ａにネジ等の固定手段により固定した状態においては、耐火材保持部材６２の耐火材保持面６２ｂは水平方向に対して若干下方に向かうように配置されることとなり、耐火材保持面６２ｂに配置される加熱膨張材ｆは、膨張時に対向する戸車ａに対してやや下方に向かうように膨張することとなる。
【００３４】
このように、障子の下框に配置された戸車ａは、その走行方向両側位置には、図４（ｂ）に示すように、縦框３３の内周面に配置される加熱膨張材からなるシーラー６１と、下框３２の下方中空部３２１ｂ内に配置される補強部材９３２の端部に固定される耐火材保持部材６２の加熱膨張材ｆが配置されており、通常時には加熱膨張材によって見付け方向の両側から挟まれている。
そして、火災時には、図６に示すように、加熱膨張材からなるシーラー６１と耐火材保持面６２ｂの加熱膨張材ｆとが加熱により膨張することで、戸車ａは走行方向両側から覆われることとなり、火災の火炎が戸車ａの樹脂部分に接触することを防いで、戸車ａの樹脂部分が早期に溶解することを抑制することができる。
ここで、加熱膨張材からなるシーラー６１は、戸先框３３の下框３２の内周面の下端位置まで配置されており、耐火材保持面６２ｂの加熱膨張材ｆはやや下方に向かって膨張するように配置されているので、膨張する加熱膨張材からなるシーラー６１及び加熱膨張材ｆは戸車ａの車輪と下レールとの隙間にまで至るように膨張し、車輪ａの下方部分を覆うことができる。
【００３５】
以上のように、障子の下框の案内溝内に配置される戸車ａの見付け方向両側に加熱膨張材からなる戸車保護手段を配置することにより、火災時に樹脂製の戸車ａを膨張した加熱膨張材によって見付け方向から覆うことができ、溶解した戸車ａが見込み方向に流れ落ちることを抑制し戸車ａを保護することができる。
また、見付け方向から覆うので、車輪とレールとの間の狭くなる空間に対して広く開放されている方向から加熱膨張材が進入することができるので、狭い部分にまで加熱膨張材が充填されやすく、戸車を確実に覆って保護することができる。
さらに、戸車の戸先側に配置する戸車保護手段を、下框と縦框との接合面に配置される加熱膨張材よりなるシーラーによって形成することで、特別な部材は必要なく戸車保護手段を設けることができ、また、戸車の召合せ側に配置する戸車保護手段を、下框の中空部内に配置される補強部材の端部に固定して設けることにより、補強部材の取付と戸車保護手段の配置とを同時に行うことができ、施工性等を低下させることはない。
【００３６】
なお、本発明は、上記実施形態において採用されているフラットレールタイプの引き違い建具に限定されるものではなく、下枠に形成されたレールに対して摺動自在に配置された建具であれば、どのような建具であっても良く、建具自体の構成についても何ら限定されるものではない。
【符号の説明】
【００３７】
１        ：枠体
１１      ：上枠
１２      ：下枠
１２ａ    ：中空部
１２ｂ    ：ガイド溝
１２ｃ    ：ガイド溝
１２１    ：下枠本体
１２１ａ  ：内案内レール
１２１ｂ  ：外案内レール
１２１ｃ  ：室外側部材
１２１ｄ  ：上部壁
１２１ｅ  ：上部壁
１２１ｆ  ：案内条
１２１ｇ  ：案内条
１２２    ：下枠補助部材
１２３    ：下枠レール間補助部材
１２４    ：樹脂下部材
１２４ａ  ：上壁部
１２４ｂ  ：室外側脚部
１２４ｃ  ：室内側脚部
１２４ｄ  ：顎部
１２５    ：樹脂カバー部材
１３      ：左縦枠
１４      ：右縦枠
２        ：内障子
３        ：外障子
２１      ：上框
２１ａ    ：案内溝
２２      ：下框
２２ａ    ：案内溝
２２１    ：室外側下框部
２２１ａ  ：上方中空部
２２１ｂ  ：下方中空部
２２１ｃ  ：室外側垂下片
２２２    ：室内側下框部
２２２ａ  ：中空部
２３      ：左縦框（召合框）
２４      ：右縦框（戸先框）
３１      ：上框
３２      ：下框
３２１    ：室外側下框部
３２１ａ  ：上方中空部
３２１ｂ  ：下方中空部
３２１ｃ  ：室外側垂下片
３３      ：左縦框（戸先框）
３４      ：右縦框（召合框）
６        ：戸車保護手段
６１      ：シーラー
６２      ：耐火材保持部材
６２ａ    ：固定部
６２ｂ    ：耐火材保持面
８１      ：クレセント錠
８２      ：クレセント受け
９３２    ：補強部材
９３２ａ  ：見付け面
【図１】
2018066244.tif 000003
【図２】
2018066244.tif 000004
【図３】
2018066244.tif 000005
【図４】
2018066244.tif 000006
【図５】
2018066244.tif 000007
【図６】
2018066244.tif 000008